(57)【要約】【課題】一般使用者が自分で脈診を行い、或いは医療者が遠隔脈診ができるように、近接脈診及び遠隔脈診に使う脈診システムを提供する。【解決手段】加圧検知機構、及び加圧部材と検知部材を有し、前記加圧検知機構と信号的に連接する脈診端末通信機構を含む脈診装置と、ネット接続制御機構とネット接続制御端末通信機構を含むネット接続制御装置と、を備える脈診システムであって、前記加圧部材で人体の計測位置に圧力を与えて、前記検知部材によって計測位置で発生する脈情報が検知され、前記ネット接続制御機構が圧力制御データを生成し、前記ネット接続制御端末通信機構が前記脈診装置と前記ネット接続制御装置とのネット接続を通じて前記圧力制御データを前記脈診端末通信機構に送信し、かつネット接続で前記検知部材からの前記脈情報を受信し、一般使用者が自分で脈診を行ったり医療者が遠隔脈診したりできるような脈診システムを提供する。【選択図】図１
2016221223.tif 000002
【特許請求の範囲】
【請求項１】
加圧検知機構、及び加圧部材と検知部材を有し、前記加圧検知機構と信号的に連接する脈診端末通信機構を含む脈診装置と、ネット接続制御機構とネット接続制御端末通信機構を含むネット接続制御装置とを備え、前記加圧部材で人体の計測位置に圧力を与えて、前記検知部材によって計測位置で発生する脈情報が検知され、前記ネット接続制御機構が圧力制御データを生成し、前記ネット接続制御端末通信機構が前記脈診装置と前記ネット接続制御装置とのネット接続を通じて前記圧力制御データを前記脈診端末通信機構に送信し、かつネット接続で前記検知部材からの前記脈情報を受信することを特徴とする脈診システム。
【請求項２】
前記加圧検知機構を三つ有し、それぞれ人体の寸部、関部及び尺部という脈計測位置に対応することを特徴とする請求項１に記載の脈診システム。
【請求項３】
前記加圧部材が前記人体の寸部、関部及び尺部という脈計測位置に接触する前記検知部材と接触する膨張体を備えることを特徴とする請求項２に記載の脈診システム。
【請求項４】
前記加圧検知機構を複数有し、かつ前記脈診装置が前記複数の加圧検知機構と前記脈診端末通信機構の間で電気的に連接される切替機構を備えることを特徴とする請求項１に記載の脈診システム。
【請求項５】
前記脈診装置が前記加圧検知機構と前記脈診端末通信機構との間で連接される信号変換器を有することを特徴とする請求項１に記載の脈診システム。
【請求項６】
前記ネット接続制御機構が押圧操作に基いて前記圧力制御データを生成するタップ検知部材を有することを特徴とする請求項１に記載の脈診システム。
【請求項７】
前記ネット接続制御端末通信機構及び前記脈診端末通信機構が無線信号で通信することを特徴とする請求項１に記載の脈診システム。
【請求項８】
前記ネット接続制御装置が前記脈情報に基いて分析結果を生成する分析機構を有することを特徴とする請求項１に記載する脈診システム。
【発明の詳細な説明】
【技術分野】
【０００１】
本発明は遠隔脈診及び近接脈診に使う脈診システムに関する。
【背景技術】
【０００２】
東洋医学における脈診とは医療者が患者と対面して直接患者の脈を取り、そして脈の早さ、強さなどの情報を基にして、患者が罹った疾病や、その原因や変化を判別するものである。しかし、高齢者または肢体不自由な患者には距離によっては自力で病院にたどり着くことが困難な場合もある。故に、医療者に患者の脈が判別できるように、遠隔脈診機能を含む脈診システムを提供する必要がある。
【発明の概要】
【０００３】
故に、本発明の目的として、一般使用者が自分で脈診を行い、或いは医療者が遠隔脈診ができるように、近接脈診及び遠隔脈診に使う脈診システムを提供する。
【０００４】
本発明が従来の技術問題を解決する技術手段として、加圧検知機構、及び加圧部材と検知部材とを有し、前記加圧検知機構と信号的に連接する脈診端末通信機構を含む脈診装置と、ネット接続制御機構とネット接続制御端末通信機構を含むネット接続制御装置と、を備える脈診システムであって、前記加圧部材で人体の計測位置に圧力を加えて、前記検知部材により計測位置で発生する脈情報を検知し、前記ネット接続制御機構が圧力制御データを生成し、前記ネット接続制御端末通信機構が前記脈診装置と前記ネット接続制御装置とのネット接続を通じて前記圧力制御データを前記脈診端末通信機構に送信し、かつネット接続で前記検知部材からの前記脈情報を受信することを特徴とする脈診システムを提供する。
【０００５】
本発明の一つの実施形態では前記加圧検知機構を三つ有し、それぞれ人体の寸部、関部及び尺部という脈計測位置に対応することを特徴とする脈診システムである。
【０００６】
本発明の一つの実施形態では前記加圧部材が前記人体の寸部、関部及び尺部という脈計測位置に接触する前記検知部材と接触する膨張体を備えることを特徴とする脈診システムである。
【０００７】
本発明の一つの実施形態では前記加圧検知機構を複数有し、かつ前記脈診装置が前記複数の加圧検知機構と前記脈診端末通信機構の間で電気的に連接される切替機構を備えることを特徴とする脈診システムである。
【０００８】
本発明の一つの実施形態では前記脈診装置が前記加圧検知機構と前記脈診端末通信機構との間で連接される信号変換器を有することを特徴とする脈診システムである。
【０００９】
本発明の一つの実施形態では前記ネット接続制御機構が押圧操作に基いて前記圧力制御データを生成するタップ検知部材を有することを特徴とする脈診システムである。
【００１０】
本発明の一つの実施形態では前記ネット接続制御端末通信機構及び前記脈診端末通信機構が無線信号で通信することを特徴とする脈診システムである。
【００１１】
本発明の一つの実施形態では前記ネット接続制御装置が前記脈情報に基いて分析結果を生成する分析機構を有することを特徴とする脈診システムである。
【発明の効果】
【００１２】
本発明の技術手段により、本発明が提供した脈診システムはネットを通じて加圧制御情報及び脈情報を伝送して、距離を制限せずに脈診を行うことができる。これにより、医療者はネット接続制御装置で遠隔加圧検知を行い、そして被験者の脈情報が得られる。一部の実施形態において、加圧検知機構が医療者の加圧操作の力をシミュレートでき、被験者の脈情報をより正確に測ることができる。
【００１３】
なお、分析機構は脈情報を分析して、医療者が参考にできるような分析結果を生成する。被験者も自分で行った脈診によって生成された分析結果によって、自分の健康状況を知る。
【００１４】
以下の実施形態及び添付した図面により、本発明で採用された具体実施形態をさらに説明する。
【図面の簡単な説明】
【００１５】
【図１】図１は本発明の第一実施形態の脈診システムを示す図である。
【図２】図２は本発明の第二実施形態の脈診システムを示す図である。
【図３】図３は本発明の第一実施形態の脈診システムのブロック図である。
【発明を実施するための形態】
【００１６】
以下は図１〜図３に基いて、本発明の実施形態について説明する。当該説明は本発明の実施形態の一つの例示にすぎず、本発明の実施形態を限定するものではない。
【００１７】
図１および図３が示すように、本発明の脈診システム１００は加圧検知機構１１及び加圧部材１１１と検知部材１１２を有し、前記加圧検知機構と信号的に連接する脈診端末通信機構１２を含む脈診装置１と、ネット接続制御機構２１とネット接続制御端末通信機構２２を含むネット接続制御装置２と、を備え、前記加圧部材１１１で人体の計測位置に圧力を与えて、前記検知部材１１２により計測位置で発生する脈情報Ｐを検知し、前記ネット接続制御機構２１が圧力制御データＣを生成し、前記ネット接続制御端末通信機構２２が前記脈診装置１と前記ネット接続制御装置２とのネット接続を通じて前記圧力制御データＣを前記脈診端末通信機構１２に送信し、かつネット接続で前記検知部材１１２からの前記脈情報Ｐを受信する。
【００１８】
図１および図３が示すように、本発明の第一実施形態の脈診システム１００は、加圧検知機構１１の数が複数である。本実施形態において、加圧検知機構１１の数は三つであり、それぞれ人体の寸部、関部及び尺部という脈計測位置に対応する。そして、加圧検知機構１１はマイクロポンプであり、前記検知部材１１２は圧電検知器であり、プリアンプを含む。
【００１９】
図１が示すように、本発明の第一実施形態の脈診システム１００は、加圧部材１１１が検知部材１１２を寸部、関部及び尺部という脈計測位置に貼付けることができるように前記検知部材１１２に接合する膨張体１１３を含む。膨張体１１３は大きさが指先に近く、圧力制御データＣに基いて体積を変える。膨張体１１３の体積の変化によって検知部材１１２が脈計測位置に貼付ける力を変化させ、医療者が脈取りに使う力を模倣する。より好ましくは、加圧部材１１１が検知部材１１２とネット接続制御端末通信機構２２と連接する移動体（図示しない）をさらに含むことである。前記移動体は検知部材１１２を移動させて検知部材１１２の位置を調整することにより正確な脈検知位置に到達するように、医療者によってネット接続制御装置で操作される。
【００２０】
図３が示すように、本発明の第一実施形態の脈診システム１００は、脈診装置１が複数の加圧検知機構１１と脈診端末通信機構１２の間で電気的に連接される切替機構１３を備える。切替機構１３は検知部材切替ユニット１３１及び加圧部材切替ユニット１３２を含む。前記検知部材切替ユニット１３１はマルチプレクサーであり、複数の検知部材１１２の脈情報Ｐを受信して、そのうちから一つを選んで出力する。また、加圧部材切替ユニット１３２はデマルチプレクサであり、複数の出力端末の加圧部材１１１から一つを選んで圧力制御データＣを発送する。
【００２１】
図３が示すように、本発明の第一実施形態の脈診システム１００は、脈診装置１が前記加圧検知機構１１と前記脈診端末通信機構１２との間で連接される信号変換器１４を含む。本実施形態において、複数の加圧検知機構１１は切替機構１３により単独の信号変換器１４に信号的に連接される。他の実施形態において、複数の加圧検知機構１１は対応する複数の信号変換器１４と信号的に連接してもよく、切替機構１３を通じて脈診端末通信機構１２と信号的に連接する。
【００２２】
信号変換器１４はアナログ−デジタル変換器１４１（ＡＤ変換器）及びデジタル−アナログ変換器１４２（ＤＡ変換器）を含む。ＡＤ変換器１４１はプログラマブルゲインアンプ（ＰＧＡ）を含む。ＡＤ変換器１４１は検知部材１１２と脈診端末通信機構１２との間で連接されて、アナログ信号である脈情報Ｐをデジタル信号に転換して脈診端末通信機構１２を通じて伝送する。ＤＡ変換器１４２は脈診端末通信機構１２と加圧部材１１１との間で電気的に連接されて、加圧部材１１１の圧力を制御するためにデジタル信号である圧力制御データＣをアナログ信号に転換する。
【００２３】
図１および図３が示すように、本発明の一つの実施形態の脈診システム１００は、ネット接続制御装置２が携帯電話であり、前記携帯電話のネット接続制御端末通信機構２２がインターネットＮによる無線通信で近接、遠隔の脈診端末通信機構１２と接続する。もちろん、本発明はそれに限らず、図２が示した第二実施形態の脈診システム１００ａにおいて、ネット接続制御装置２がコンピュータで、コンピュータにおけるネット接続制御端末通信機構２２がインターネットＮによる有線通信で近接、遠隔の脈診端末通信機構１２と接続する。前記コンピュータにおけるネット接続制御装置２が他のスマートデバイスでも良い。そしてインターネットＮによる有線通信または無線通信を通じて脈診装置１と信号を伝送する。その中では、ネット接続制御装置２のアプリケーションを医療者が操作に使うユーザーインタフェースにする。医療者はアプリケーションを通じて脈診装置１を操作して被験者に対する脈診を行う。
【００２４】
図１及び図３が示すように、本発明の第一実施形態の脈診システム１００は、ネット接続制御機構２１がタップ検知部材２１１を含み、タップ検知部材２１１が押される操作に基いて、圧力制御データＣを生成させる。詳しく言うと、医療者が携帯電話の寸部、関部、尺部の操作位置でタップ検知部材２１１を押して、タップ検知部材２１１を押しながら上にスライドして圧力制御データＣを生成すると、加圧部材１１１が圧力制御データＣに基いて沈（強く押す）の圧力を与える。また、タップ検知部材２１１をタップして圧力制御データＣを生成すると、加圧部材１１１が圧力制御データＣに基いて中（軽く押す）の圧力を与える。さらに、タップ検知部材２１１を押しながら下にスライドして圧力制御データＣを生成すると、加圧部材１１１が圧力制御データＣに基いて浮（触れる）の圧力を与える。これによって、加圧部材１１１が脈検知位置に東洋医学における脈診の押す力の多様さを模倣することにより、被験者の脈情報Ｐを正確に測ることができる。もちろん、本発明はそれに限らず、圧力制御データＣは医療者がタップ検知部材２１１を押す力の強さによって生成し、加圧部材１１１はタップ検知部材２１１が受けた押す力を模倣して、被験者の脈情報を正確に検知する。
【００２５】
図３が示すように、本発明の第一実施形態の脈診システム１００は、ネット接続制御装置２が分析機構２３を含み、脈情報Ｐ（脈の速さ、脈の強さなど）がネット接続制御装置２を通じて記録保存された後、分析機構２３により東洋医学の脈診判断方法に基いて脈情報Ｐを分析して分析結果を生成する。分析結果は医療者が参考にできるように被験者の脈の種類、五臓六腑の生理的な状況、被験者に対するアドバイス…などの情報を含む。なお、被験者も自分で行った脈診によって生成された分析結果により、自分の健康状況を知ることができる。
【００２６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２７】
１００，１００ａ  脈診システム
１            脈診装置
１１          加圧検知機構
１１１        加圧部材
１１２        検知部材
１１３        膨張体
１２          脈診端末通信機構
１３          切替機構
１３１        検知部材切替ユニット
１３２        加圧部材切替ユニット
１４          信号変換器
１４１        アナログ−デジタル変換器
１４２        デジタル−アナログ変換器
２          ネット接続制御装置
２１        ネット接続制御機構
２１１      タップ検知部材
２２        ネット接続制御端末通信機構
２３        分析機構
Ｃ        圧力制御データ
Ｎ        インターネット
Ｐ        脈情報
【図１】
2016221223.tif 000003
【図２】
2016221223.tif 000004
【図３】
2016221223.tif 000005